(57)【要約】【課題】ポータブル電子デバイスを提供する。【解決手段】本発明のポータブル電子デバイスは、空洞を画定する側壁と後壁とを有する筐体を含み、後壁が、（ｉ）第１の外面を有する第１のセクションと、（ｉｉ）第１の外面に平行であり、かつ、第１の外面から垂直に変位した第２の外面を有する第２のセクションと、を含む。ポータブル電子デバイスは、後壁に接合されたブレース構造体と、ブレース構造体に溶接されたトリム構造体とを更に含み、トリム構造体は、第２の外面から垂直に変位した外面と、空洞内に配置され、かつ、ブレース構造体によって担持されたカメラモジュールとを有する。【選択図】図１Ｂ
2020166842.tif 000002
【特許請求の範囲】
【請求項１】
ポータブル電子デバイスであって、
空洞を画定する側壁と後壁とを有する筐体であって、前記後壁が、（ｉ）第１の外面を有する第１のセクションと、（ｉｉ）前記第１の外面に平行であり、かつ、前記第１の外面から垂直に変位した第２の外面を有する第２のセクションと、を含む、筐体と、
前記後壁に接合され、かつ、前記空洞内にカメラモジュールを担持するブレース構造体と、
前記ブレース構造体に溶接されたトリム構造体であって、前記第２の外面から垂直に変位した外面を有する、トリム構造体と、を備える、ポータブル電子デバイス。
【請求項２】
前記ブレース構造体は壁と付勢バネとを含み、前記付勢バネが、前記カメラモジュールを前記壁に対して付勢する、請求項１に記載のポータブル電子デバイス。
【請求項３】
前記ブレース構造体及び前記トリム構造体に溶接されるワッシャを更に備える、請求項１に記載のポータブル電子デバイス。
【請求項４】
前記後壁はガラスである、請求項１に記載のポータブル電子デバイス。
【請求項５】
前記側壁はステンレス鋼を含む、請求項１に記載のポータブル電子デバイス。
【請求項６】
前記トリム構造体と前記後壁との間に配置されたＯリングシールであって、水分が前記空洞内に入るのを防止することができる、Ｏリングシールを更に備える、
請求項１に記載のポータブル電子デバイス。
【請求項７】
前記第１のセクションは第１の厚さを有し、前記第２のセクションは前記第１の厚さより大きい第２の厚さを有する、請求項１に記載のポータブル電子デバイス。
【請求項８】
前記トリム構造体は、前記後壁の前記第２のセクションの前記第２の外面の少なくとも一部を覆う、請求項１に記載のポータブル電子デバイス。
【請求項９】
ポータブル電子デバイスであって、
側壁を画定する筐体部材と、
前記筐体部材に結合された第１のカバー部材及び第２のカバー部材であって、前記側壁、及び前記第１又は第２のカバー部材のうちの少なくとも１つが空洞を画定する、第１のカバー部材及び第２のカバー部材と、
カメラモジュールと、
前記カメラモジュールを担持し、かつ、前記カメラモジュールを前記空洞内に位置付けるブレース構造体と、
前記第２のカバー部材の少なくとも一部を覆う外面を有する外側トリム構造体と、
前記外側トリム構造体に接合され、かつ、前記外側トリム構造体の前記外面から盛り上がって延在する外面を有する、内側トリム構造体と、を備える、ポータブル電子デバイス。
【請求項１０】
前記第２のカバー部材と前記内側トリム構造体との間に配置されたＯリングシールを更に備える、
請求項９に記載のポータブル電子デバイス。
【請求項１１】
前記カメラモジュールは、カメラタレットを担持するシャーシを含み、前記カメラタレットの外面は、前記内側トリム構造体の前記外面と同一平面上にある、請求項９に記載のポータブル電子デバイス。
【請求項１２】
前記ブレース構造体は、壁と、前記壁に対して前記カメラモジュールを付勢する付勢バネとを含む、請求項９に記載のポータブル電子デバイス。
【請求項１３】
前記内側トリム構造体の前記外面には、ダイヤモンドライクカーボン（ＤＬＣ）コーティングが施されている、請求項９に記載のポータブル電子デバイス。
【請求項１４】
前記第２のカバー部材によって覆われ、かつ、前記第２のカバー部材に結合された支持プレートであって、前記カメラモジュールと位置合わせされた開口部を含む、支持プレートを更に備える、
請求項９に記載のポータブル電子デバイス。
【請求項１５】
前記ブレース構造体及び前記内側トリム構造体に溶接されたワッシャを更に備える、
請求項９に記載のポータブル電子デバイス。
【請求項１６】
ポータブル電子デバイスであって、
側壁を画定する筐体部材と、
前記筐体部材に結合された第１のカバー部材及び第２のカバー部材であって、前記側壁、及び前記第１又は第２のカバー部材のうちの少なくとも１つが空洞を画定し、前記第２のカバー部材が、第１のセクションと、前記第１のセクションに対して垂直に隆起した第２のセクションとを含む、第１のカバー部材及び第２のカバー部材と、
カメラモジュールと、
超広帯域アンテナと、
前記筐体部材に結合され、かつ、第１の開口部及び第２の開口部を含む支持プレートであって、前記カメラモジュールが前記第１の開口部を通って延在し、前記超広帯域アンテナが前記第２の開口部を通って延在する、支持プレートと、を備える、ポータブル電子デバイス。
【請求項１７】
前記超広帯域アンテナは第１の超広帯域アンテナであり、前記ポータブル電子デバイスは、
第２の超広帯域アンテナと、
第３の超広帯域アンテナと、を更に備える、請求項１６に記載のポータブル電子デバイス。
【請求項１８】
前記支持プレートは、第３の開口部及び第４の開口部を更に含み、前記第２及び第３の超広帯域アンテナは、前記第３及び第４の開口部を通って延在する、請求項１７に記載のポータブル電子デバイス。
【請求項１９】
前記カメラモジュールは、前記第１の開口部と位置合わせされている、請求項１６に記載のポータブル電子デバイス。
【請求項２０】
前記第１、第２、及び第３の超広帯域アンテナは、前記第２、第３、及び第４の開口部と位置合わせされている、請求項１７に記載のポータブル電子デバイス。
【発明の詳細な説明】
【技術分野】
【０００１】
説明される実施形態は、概して、ポータブル電子デバイス用のエンクロージャ内にカメラモジュールを固定するための構造的構成要素に関する。より具体的には、説明される実施形態は、複数のカメラモジュールを固定するための支持構造体に関する。
【背景技術】
【０００２】
近年の技術進歩により、製造業者が、ポータブル電子デバイスの空洞内に、より多くの動作構成要素（例えば、カメラ、アンテナ、センサなど）を含むことが可能になっている。しかしながら、これらの動作構成要素が組み立てプロセス中に精密に嵌合される方式のため、ポータブル電子デバイスが落下事象にさらされると、これらの動作構成要素は位置ずれを起こしやすい。その結果、位置ずれが、これらの動作構成要素の早期故障を引き起こす可能性がある。従って、所定位置及び位置合わせに従って、これらの動作構成要素を保持する支持構造体を含む必要がある。
【発明の概要】
【０００３】
本文書では、概して、ポータブル電子デバイス用のエンクロージャ内にカメラモジュールを固定するための構造的構成要素に関する様々な実施形態を説明する。より具体的には、説明される実施形態は、複数のカメラモジュールを固定するための支持構造体に関する。
【０００４】
いくつかの実施形態によれば、ポータブル電子デバイスが説明される。ポータブル電子デバイスは、空洞を画定する側壁と後壁とを有する筐体を含み、後壁が、（ｉ）第１の外面を有する第１のセクションと、（ｉｉ）第１の外面に平行であり、かつ、第１の外面から垂直に変位した第２の外面を有する第２のセクションと、を含む。ポータブル電子デバイスは、後壁に接合されたブレース構造体と、ブレース構造体に溶接されたトリム構造体とを更に含み、トリム構造体は、第２の外面から垂直に変位した外面と、空洞内に配置され、ブレース構造体によって担持されたカメラモジュールとを有する。
【０００５】
いくつかの実施形態によれば、ポータブル電子デバイスが説明される。ポータブル電子デバイスは、側壁を画定する筐体部材と、筐体部材に結合された第１のカバー部材及び第２のカバー部材とを含み、側壁、及び第１又は第２のカバー部材のうちの少なくとも１つが空洞を画定する。ポータブル電子デバイスは、カメラモジュールと、カメラモジュールを担持し、カメラモジュールを空洞内に位置付けるブレース構造体と、第２のカバー部材の少なくとも一部を覆う外面を有する外側トリム構造体と、外側トリム構造体に接合され、外側トリム構造体の外面から盛り上がって延在する外面を有する内側トリム構造体と、を更に含む。
【０００６】
いくつかの実施形態によれば、ポータブル電子デバイスが説明される。ポータブル電子デバイスは、側壁を画定する筐体部材と、筐体部材に結合された第１のカバー部材及び第２のカバー部材とを含み、側壁、及び第１又は第２のカバー部材のうちの少なくとも１つが空洞を画定し、第２のカバー部材が、第１のセクションと、第１のセクションに対して垂直に隆起した第２のセクションとを含む。ポータブル電子デバイスは、カメラモジュールと、超広帯域アンテナと、筐体部材に結合され、第１の開口部及び第２の開口部を含む支持プレートとを更に含み、カメラモジュールが第１の開口部を通って延在し、第１の超広帯域アンテナが第２の開口部を通って延在する。
【０００７】
本発明の他の態様及び利点は、例として、説明される実施形態の原理を例示する、添付図面を併用して以下の詳細な説明から明らかになるであろう。
【０００８】
この「発明の概要」は、本明細書で説明する主題の一部の態様の基本的理解を提供するように、一部の例示的実施形態を要約することを目的として提供されるものに過ぎない。従って、上記説明された特徴は、実施例に過ぎず、いずれかの方式において本明細書で説明される主題の範囲及び趣旨を狭めると解釈されるべきでないことを理解されよう。本明細書で説明される主題の他の特徴、態様、及び利点は、以下の詳細な説明、図面、及び特許請求の範囲から明らかになるであろう。
【図面の簡単な説明】
【０００９】
参照番号が同様の構造的要素を指定する、添付図面と共に以下の詳細な説明によって開示が容易に理解されよう。
【図１Ａ】いくつかの実施形態に係る、ポータブル電子デバイスの前側の等角投影図を示す。
【図１Ｂ】いくつかの実施形態に係る、ポータブル電子デバイスの後側の等角投影図を示す。
【図２】いくつかの実施形態に係る、ポータブル電子デバイスの後側の等角投影図を示す。
【図３Ａ】いくつかの実施形態に係る、ポータブル電子デバイスの様々な斜視図を示す。
【図３Ｂ】いくつかの実施形態に係る、ポータブル電子デバイスの様々な斜視図を示す。
【図３Ｃ】いくつかの実施形態に係る、ポータブル電子デバイスの様々な斜視図を示す。
【図３Ｄ】いくつかの実施形態に係る、ポータブル電子デバイスの様々な斜視図を示す。
【図３Ｅ】いくつかの実施形態に係る、ポータブル電子デバイスの様々な斜視図を示す。
【図３Ｆ】いくつかの実施形態に係る、ポータブル電子デバイスの様々な斜視図を示す。
【図３Ｇ】いくつかの実施形態に係る、ポータブル電子デバイスの様々な斜視図を示す。
【図３Ｈ】いくつかの実施形態に係る、ポータブル電子デバイスの様々な斜視図を示す。
【図４】いくつかの実施形態に係る、ポータブル電子デバイスの分解斜視図を示す。
【図５Ａ】いくつかの実施形態に係る、ポータブル電子デバイスの様々な断面図を示す。
【図５Ｂ】いくつかの実施形態に係る、ポータブル電子デバイスの様々な断面図を示す。
【図６Ａ】いくつかの実施形態に係る、ポータブル電子デバイスの様々な断面図を示す。
【図６Ｂ】いくつかの実施形態に係る、ポータブル電子デバイスの様々な断面図を示す。
【図７Ａ】いくつかの実施形態に係る、ポータブル電子デバイスの様々な斜視図を示す。
【図７Ｂ】いくつかの実施形態に係る、ポータブル電子デバイスの様々な斜視図を示す。
【図８Ａ】いくつかの実施形態に係る、ポータブル電子デバイスの動作構成要素の様々な斜視図を示す。
【図８Ｂ】いくつかの実施形態に係る、ポータブル電子デバイスの動作構成要素の様々な斜視図を示す。
【図８Ｃ】いくつかの実施形態に係る、ポータブル電子デバイスの動作構成要素の様々な斜視図を示す。
【図８Ｄ】いくつかの実施形態に係る、ポータブル電子デバイスの動作構成要素の様々な斜視図を示す。
【図９Ａ】いくつかの実施形態に係る、ポータブル電子デバイスの動作構成要素の様々な斜視図を示す。
【図９Ｂ】いくつかの実施形態に係る、ポータブル電子デバイスの動作構成要素の様々な斜視図を示す。
【図１０】いくつかの実施形態に係る、ポータブル電子デバイスの動作構成要素の上面図を示す。
【図１１】いくつかの実施形態に係る、ポータブル電子デバイスを形成するための方法を示す。
【図１２】いくつかの実施形態に係る、ポータブル電子デバイスのシステム図を示す。
【００１０】
当業者は、慣例に従い、以下において説明される図面の様々な特徴が必ずしも原寸に比例して描かれているわけではなく、図面の様々な特徴及び要素の寸法が、本明細書において説明されている本発明の実施形態をより明瞭に示すために拡大又は縮小されている場合があることを認識し、理解するであろう。
【発明を実施するための形態】
【００１１】
ここで、添付図面に図示される代表的な実施形態が詳細に説明される。以下の説明は、これらの実施形態を１つの好ましい実施形態に限定することを意図するものではないことを理解されたい。反対に、以下の説明は、添付の特許請求の範囲により画定される記載された実施形態の趣旨及び範囲に含むことができるような、代替形態、修正形態及び均等物を包含することを意図している。
【００１２】
以下の発明を実施するための形態では、記載の一部を成し、説明する実施形態に係る具体的な実施形態が例示として示される添付の図面が参照される。これらの実施形態は、当業者が、説明される実施形態を実践することができるように、十分に詳細に説明されるが、これらの実施例は限定的なものでなく、それゆえ他の実施形態を使用することができ、説明される実施形態の精神又は範囲から逸脱することなく変更を行うことができる点が、理解されよう。
【００１３】
近年の技術進歩及び消費者需要の増加により、製造業者は、エンクロージャの小さな空洞内に追加の動作構成要素（例えば、フロントカメラ、リアカメラ、アンテナなど）を組み込むように駆り立てられている。しかしながら、組み立てプロセスの正確な性質により、これらの動作構成要素は、ポータブル電子デバイスが落下事象にさらされると、位置合わせから脱落しやすい。残念ながら、これらの動作構成要素（単数又は複数）の位置ずれは、多くの場合、それらの早期故障につながる。本明細書に説明される実施形態は、概して、ポータブル電子デバイス内の動作構成要素を固定するための支持構造体に関する。特に、これらの支持構造体は、たとえポータブル電子デバイスが落下事象にさらされた後であっても、既知の位置合わせ及び位置に動作構成要素を維持する。
【００１４】
前述の欠陥を解決するために、本明細書に説明されるシステム及び技術は、これらの動作構成要素の損傷及び／又は位置ずれを最小化することができる、後壁、トリム構造体、ブレース構造体、溶接ワッシャなどの支持構造体に関する。
【００１５】
いくつかの実施形態によれば、ポータブル電子デバイスが説明される。ポータブル電子デバイスは、空洞を画定する側壁と後壁とを有する筐体を含み、後壁が、（ｉ）第１の外面を有する第１のセクションと、（ｉｉ）第１の外面に平行であり、かつ、第１の外面から垂直に変位した第２の外面を有する第２のセクションと、を含む。ポータブル電子デバイスは、後壁に接合されたブレース構造体と、ブレース構造体に溶接されたトリム構造体とを更に含み、トリム構造体は、第２の外面から垂直に変位した外面と、空洞内に配置され、ブレース構造体によって担持されたカメラモジュールとを有する。
【００１６】
これら及び他の実施形態について、図１〜１２を参照して以下に説明する。しかしながら、当業者であれば、これらの図に関して本明細書に与えられた発明を実施するための形態は説明の目的のためのものに過ぎず、限定するものとして解釈されるべきではないことを容易に理解するであろう。
【００１７】
図１Ａ及び図１Ｂは、いくつかの実施形態に係る、ポータブル電子デバイスの前側及び後側の等角投影図を示す。本明細書に説明されるポータブル電子デバイスは、ポータブル電子デバイスのエンクロージャの空洞内の動作構成要素を支持することができる様々な支持構造体を含む。いくつかの実施例によれば、ポータブル電子デバイスは、コンピューティングデバイス、スマートフォン、ラップトップ、スマートウォッチ、フィットネストラッカー、携帯電話、ウェアラブル消費者デバイスなどである。ポータブル電子デバイスのエンクロージャはまた、筐体とも呼ばれ得る。本明細書に説明される支持構造体は、ポータブル電子デバイス１００が負荷事象（例えば、落下事象）を経験したときに、これらの動作構成要素が外れたり、又は位置ずれしたりしてしまうことを防止するために、動作構成要素を固定するために利用され得ることに留意されたい。
【００１８】
図１Ａは、ポータブル電子デバイス１００が空洞を画定する壁を有するエンクロージャ１０２を含み、動作構成要素が空洞内に担持される、ポータブル電子デバイス１００の正面等角投影図を示す。エンクロージャ１０２はまた、筐体部材と呼ばれてもよい。エンクロージャ１０２は、上壁１０２−Ａ、底壁１０２−Ｂ、及び側壁１０２−Ｃを含む。上壁、底壁、及び側壁１０２−Ａ、Ｂ、Ｃは、エンクロージャ１０２の周囲を取り囲み、空洞を画定する金属バンドを画定してもよい。上壁、底壁、及び側壁１０２−Ａ、Ｂ、Ｃは、湾曲した断面を有してもよい。加えて、上壁、底壁、及び側壁１０２−Ａ、Ｂ、Ｃは、保護カバー１０６を担持する前縁部を含んでもよい。
【００１９】
ポータブル電子デバイス１００は、ポータブル電子デバイス１００の上面の実質的に全てを覆うディスプレイアセンブリ１０４を含む。ディスプレイアセンブリ１０４は、ディスプレイアセンブリ１０４における入力を検出し、ディスプレイアセンブリ１０４において対応するグラフィカル出力を提示することができる、容量性ユニット及び／又は力検出ユニットを含んでもよい。いくつかの実施形態では、ディスプレイアセンブリ１０４は、トリム構造体１０８で固定される保護カバー１０６によって覆われる。特に、トリム構造体１０８は、接着剤、溶接などの取り付け機能を用いてエンクロージャ１０２に接合されてもよい。保護カバー１０６は、表面の摩耗及び傷がディスプレイアセンブリ１０４を損傷するのを防ぐことができる。保護カバー１０６は、ガラス、プラスチック、サファイアなどの透過性材料から形成されてもよい。
【００２０】
いくつかの実施形態では、上壁１０２−Ａは、誘電体材料１１２を有するスプリットによって底壁１０２−Ｂから分離されてもよく、側壁１０２−Ｃは、誘電体材料１１２を有するスプリットによって、上壁及び底壁１０２−Ａ、Ｂから分離されてもよい。誘電体材料１１２には、プラスチック、射出成形プラスチック、ポリエチレンテレフタレート（「ＰＥＴ」）、ポリエーテルエーテルケトン（「ＰＥＥＫ」）、セラミックなどを含むことができる。誘電体材料１１２を組み込むことにより、壁１０２−Ａ、Ｂ、Ｃは、互いに電気的に絶縁される。
【００２１】
いくつかの実施形態によれば、ポータブル電子デバイス１００は、側壁１０２−Ｃのうちの１つに沿って担持されるスイッチ１１６を含む。底壁１０２−Ｂは、ポータブル電子デバイス１００にデータ及び／又は電力を提供することができるデータコネクタ１２０を含む。いくつかの実施例では、コネクタ１２０は、バス及び電源コネクタを指す。コネクタ１２０は、空洞内に担持された内部電源（図示せず）に電気的に結合される。底壁１０２−Ｂは、ポータブル電子デバイス１００内に担持されたスピーカモジュールによって生成された音響出力を伝えるスピーカ開口部１２２を含む。
【００２２】
いくつかの実施形態によれば、ポータブル電子デバイス１００は、第１の電子構成要素１３１及び第２の電子構成要素１３２を含む。これらの電子構成要素１３１、１３２は、顔認識のために利用されてもよい。いくつかの実施例では、電子構成要素１３１、１３２は、カメラ、赤外線（ＩＲ）光検出器、ＩＲ発光器などを含む。ＩＲ光検出器及びＩＲ発光器は、ポータブル電子デバイス１００に対するユーザを認証することができる。第１及び第２の電子構成要素１３１、１３２は、保護カバー１０６内のノッチ１３４に担持されてもよい。ノッチ１３４は、円形又は多角形形状（例えば、台形、矩形、正方形など）を有する。ノッチ１３４は、第１及び第２の電子構成要素１３１、１３２が機能を提供することを可能にするのに十分であるように、より短く、より高く、より幅広く、より丸く、概して任意の形状であってもよい。ノッチ１３４の形状及び寸法は、設計上の選択である。
【００２３】
いくつかの実施例によれば、エンクロージャ１０２は、金属材料と非金属材料との組み合わせを含む。上壁１０２−Ａ、底壁１０２−Ｂ、又は側壁１０２−Ｃのうちの少なくとも１つは、金属材料（例えば、陽極酸化アルミニウム、チタン、ステンレス鋼など）から形成されてもよい。いくつかの実施例では、上壁、底壁、及び側壁１０２−Ａ、Ｂ、Ｃはまた、ポータブル電子デバイス１００の周辺部を取り囲む金属バンドを指してもよい。上壁、底壁、及び側壁１０２−Ａ、Ｂ、Ｃは、面取りされた縁部を有してもよい。上壁、底壁、及び側壁１０２−Ａ、Ｂ、Ｃは、一緒に、スプラインプロファイルを有する側面を画定する。いくつかの実施例によれば、上壁１０２−Ａ、底壁１０２−Ｂ、又は側壁１０２−Ｃのうちの少なくとも１つは、非金属材料から形成される。いくつかの実施例によれば、非金属材料は、ガラス、プラスチック、セラミックなどを含む。有利には、非金属材料の使用により、エンクロージャ１０２、及びエンクロージャ１０２内に担持される無線送受信機に関連する電磁干渉の量を低減することができる。加えて、非金属材料の使用により、空洞及びエンクロージャ１０２内に担持される任意の金属支持構造体間の寄生容量の量を低減する。
【００２４】
いくつかの実施形態によれば、ポータブル電子デバイス１００は、ポータブル電子デバイス１００の空洞内に１つ以上の動作構成要素を担持する。これらの動作構成要素には、回路基板、アンテナ、マルチコアプロセッサ、触覚フィードバックモジュール、カメラ、ストロボモジュール、センサ、ＩＲ検出器、誘導充電コイルなどを含むことができる。
【００２５】
図１Ｂは、いくつかの実施形態に係る、ポータブル電子デバイス１００の後側の等角投影図を示す。エンクロージャ１０２は、エンクロージャ１０２に固定される後壁１３０に固定されてもよい。いくつかの実施例では、後壁１３０は、電磁場が後壁１３０を通過して空洞内に担持される無線充電コイル１４２に到達して充電するのを容易にするように、非金属材料（例えば、ガラス、プラスチック）で形成される。いくつかの実施例では、トリム構造体１０８は、後壁１３０に固定される。加えて、後壁１３０は、無線アンテナ１５０−Ａ、無線アンテナ１５０−Ｂ、及び無線アンテナ１５０−Ｃを覆うことができる。いくつかの実施例では、後壁１３０は非金属材料で形成されているため、無線アンテナ１５０−Ａ、Ｂ、Ｃによって生成及び／又は受信される無線周波数（ＲＦ）信号は、干渉をほとんど又は全く伴わずに、後壁１３０を通過することができる。後壁１３０は、ＲＦ透過性材料で構成されてもよい。図１Ｂには示されていないが、ポータブル電子デバイス１００は、無線アンテナ１５０−Ａ、Ｂ、Ｃの位置と位置合わせされた穴を有する支持プレートを含む。いくつかの実施例では、後壁１３０は第２の保護カバーと呼ばれてもよく、保護カバー１０６は第１の保護カバーと呼ばれる。いくつかの実施例では、後壁１３０は背面保護カバーと呼ばれてもよく、保護カバー１０６は前面保護カバーと呼ばれる。第１及び第２の保護カバーは、側壁１０２−Ｃに結合されてもよい。更に、側壁１０２−Ｃ、及び第１又は第２の保護カバーのうちの少なくとも１つは、ポータブル電子デバイス１００の空洞を画定してもよい。
【００２６】
いくつかの実施形態によれば、ポータブル電子デバイス１００は、ポータブル電子デバイス１００の角部に担持されるカメラアセンブリ１６０を含む。カメラアセンブリ１６０は、後壁１３０のプラトー１７０内に担持されてもよい。具体的には、後壁１３０及びプラトー１７０は、非金属材料（例えば、ガラス）の単一シートから一体的に形成されてもよい。換言すれば、プラトー１７０及び後壁１３０は、単一のシームレスな材料片である。プラトー１７０は、後壁１３０の残りの部分に対して隆起している。図１Ｂに示すように、後壁１３０の残りの部分は第１の厚さを有し、プラトー１７０は、第１の厚さよりも大きい第２の厚さを有する。いくつかの実施例では、後壁１３０の残りの部分は、後壁１３０の第１のセクションに対応し、プラトー１７０は、後壁１３０の第２のセクションに対応する。後壁１３０は、曲線状として特徴付けられてもよい。いくつかの実施例では、後壁１３０は、テクスチャ加工された表面を有する。いくつかの実施例では、後壁１３０は、異なるテクスチャの組み合わせを含む。例えば、プラトー１７０は、平滑な表面を有してもよく、一方、後壁１３０の残りの部分は、テクスチャ加工された表面を有する。本明細書に説明されるように、テクスチャ加工された表面は、谷部によって分離されたピークに対応してもよい。加えて、ピークは、公称表面に対する正の垂直偏差に対応してもよく、谷部は、公称表面に対する負の垂直偏差に対応してもよい。
【００２７】
カメラアセンブリ１６０は、３つのカメラモジュール、例えば、カメラモジュール１６２−Ａ、カメラモジュール１６２−Ｂ、及びカメラモジュール１６２−Ｂを含む。いくつかの実施例では、これらのカメラモジュール１６２−Ａ、Ｂ、Ｃは、それぞれ、望遠レンズ、広角レンズ、及び超広角レンズを表す。しかしながら、望遠レンズ、広角レンズ、及び超広角レンズの位置は、本明細書に説明される開口部にわたって相互交換可能であることに留意されたい。加えて、カメラアセンブリ１６０は、ストロボモジュール１６４（又はカメラフラッシュ）を含む。ストロボモジュール１６４は、発光ダイオード（単数又は複数）を含んでもよい。プラトー１７０は、カメラモジュール１６２−Ａ、Ｂ、Ｃ及びストロボモジュール１６４のそれぞれに対する材料内の切り抜き又は開口部を含んでもよい。カメラモジュール１６２−Ａ、Ｂ、Ｃ及びストロボモジュール１６４の一部は、プラトー１７０の厚さの開口部を通って配置されてもよい。更に、いくつかの実施例では、プラトー１７０はマイクロフォン１６６を担持する。プラトー１７０は、同様に、マイクロフォン１６６用の開口部を含んでもよい。いくつかの実施例では、カメラモジュール１６２−Ａ、Ｂ、Ｃのそれぞれは、プラトー１７０の外面に盛り上がった外面を有するカメラタレットを含んでもよい。有利には、プラトー１７０の使用は、カメラモジュール１６２−Ａ、Ｂ、Ｃが単一要素として見える視覚的態様を容易にする。任意の数のカメラモジュールが、プラトー１７０によって担持されるカメラアセンブリに組み込まれてもよいことに留意されたい。
【００２８】
カメラアセンブリ１６０のカメラモジュール１６２−Ａ、Ｂ、Ｃは、図１Ｂに示すような三角形状に配置されてもよい。いくつかの実施例では、カメラアセンブリ１６０のカメラモジュール１６２−Ａ、Ｂ、Ｃはまた、円形軌道などの衛星形状に配置されてもよい。カメラモジュール１６２−Ａ、Ｂ、Ｃは、ストロボモジュール１６４から等間隔に離間してはおらず、しかしながら、カメラモジュール１６２−Ａ、Ｂ、Ｃは、互いから等距離であってもよい。当業者であれば、ストロボモジュールがフラッシュを発光するときに、フラッシュがカメラモジュールの近傍に近づき過ぎているため、フラッシュは、被写体のカラー写真の赤い瞳孔によって引き起こされる赤目現象をもたらし得ることを理解するであろう。
【００２９】
いくつかの実施例では、カメラモジュール１６２−Ａは望遠レンズと呼ばれ、１６２−Ｂは広角レンズと呼ばれ、カメラモジュール１６２−Ｃは超広角レンズと呼ばれる。広角レンズ（例えば、カメラモジュール１６２−Ｂ）は、ポータブル電子デバイス１００で被写体の写真を撮っているときに利用される可能性がより高いため、他のカメラモジュール（例えば、カメラモジュール１６２−Ａ、Ｃ）は、カメラモジュール１６２−Ｂに対して較正される。これらのカメラモジュール１６２−Ａ、Ｂ、Ｃの較正は、三角形配向の結果として、複数方向（Ｘ軸、Ｙ軸）を較正するために、より困難になる。更に、この較正は、カメラモジュールが直線配向に配置された場合よりも困難である。
【００３０】
図２は、いくつかの実施形態に係る、ポータブル電子デバイス２００の後側の等角投影図を示す。ポータブル電子デバイス２００は、ポータブル電子デバイス２００のカメラアセンブリ２６０が、２つのカメラモジュール、例えば、カメラモジュール１６２−Ａ及びカメラモジュール１６２−Ｂを含むことを除いて、ポータブル電子デバイス１００と同様である。
【００３１】
カメラアセンブリ２６０は、後壁１３０のプラトー１７０内に担持される。特に、カメラアセンブリ１６０及びカメラアセンブリ２６０のプラトー１７０は、同様のサイズ及び形状である。しかしながら、カメラアセンブリ２６０は、より少ないカメラモジュールを含む。有利には、カメラアセンブリの異なる実施形態間でプラトー１７０を同じサイズにすることにより、ポータブル電子デバイス（例えば、ポータブル電子デバイス１００、２００）の異なるモデルを生成することに関連する製造及び材料コストを低減する。図１Ｂのように、ポータブル電子デバイス２００のプラトー１７０及び後壁１３０は、非金属材料（例えば、ガラス）の単一シートから一体的に形成されてもよい。換言すれば、プラトー１７０及び後壁１３０は、単一のシームレスな材料片である。プラトー１７０は、後壁１３０の残りの部分に対して隆起している。プラトー１７０は、ストロボモジュール１６４及びマイクロフォンモジュール１６６のための開口部を含む。他の実施形態では、プラトー１７０は後壁１３０から別個に形成され、それらが異なる材料で形成され得ることに留意されたい。例えば、プラトー１７０は金属から形成されてもよく、後壁１３０はガラス又はプラスチックから形成される。金属は、ガラス又はプラスチックに接合されてもよい。
【００３２】
図３Ａ〜図３Ｈは、いくつかの実施形態に係る、ポータブル電子デバイスの様々な斜視図を示す。エンクロージャの１つ以上の特徴（例えば、材料、形状、スイッチなど）は、図３Ａ〜図３Ｈを参照して説明されるポータブル電子デバイス間で共有されてもよいことに留意されたい。
【００３３】
図３Ａは、いくつかの実施形態に係る、ポータブル電子デバイス３００−Ａの斜視図を示す。いくつかの実施形態では、ポータブル電子デバイス３００−Ａは、図１Ａ及び図１Ｂに示すようなポータブル電子デバイス１００に対応する。ポータブル電子デバイス３００−Ａは、ポータブル電子デバイス３００−Ａの周辺部を取り囲む金属バンド構造体を形成する上壁３０２−Ａ、底壁、及び側壁３０２−Ｂを有するエンクロージャを含む。金属バンド構造体は、陽極酸化アルミニウム、チタン、又はステンレス鋼から形成されてもよい。金属バンド構造体は、側壁３０２−Ｂから上壁３０２−Ａを絶縁する誘電体バンド３１２を含んでもよい。誘電体バンド３１２の外面は、上壁、底壁、及び側壁３０２−Ａ、Ｂ、Ｃの外面と同一平面であってもよい。誘電体バンド３１２は、上壁、下壁、及び側壁の色に色整合されてもよい。側壁３０２−Ｂは、ポータブル電子デバイス３００−Ａにリンガー状態とサイレント状態との間で遷移させることができるスライドスイッチ３１６を含む。スライドスイッチ３１６は、オフ状態とオン状態との間で摺動することができる。スライドスイッチ３１６がロッカスイッチ３１４、３１８と位置合わせされると、リンガーがオンになる。ロッカスイッチ３１４、３１８は、ポータブル電子デバイス３００−Ａのシステムボリュームを、それぞれ増大及び低減させることができる。
【００３４】
ポータブル電子デバイス３００−Ａは、第１の厚さを有する後壁３３０を含む。後壁３３０は、平面を有することで特徴付けられ得る。隆起部３７０は、後壁３３０と隆起部３７０とがシームレスになるように、後壁３３０と一体的に形成される。換言すれば、後壁３３０は、後壁３３０の材料を機械加工することによって形成されてもよい。隆起部３７０は、後壁３３０の一部に平行であってもよく、後壁３３０の他の一部に平行でなくてもよい。隆起部３７０は、後壁３３０の第１の厚さよりも大きい第２の厚さを有する。後壁３３０は、ＲＦ信号が後壁３３０を通過してポータブル電子デバイス３００−Ａによって担持される無線アンテナに到達することを可能にするように、ＲＦ透過性材料（例えば、ガラスなど）で形成されてもよい。いくつかの実施例では、後壁３３０は、着色ガラスで形成される。着色ガラスは、後壁３３０の表面に沿ったテクスチャとして画定されるマット又は艶消し表面仕上げを有してもよい。加えて、隆起部３７０は、後壁３３０の着色ガラスに色整合された着色ガラスで形成されてもよい。いくつかの実施例では、後壁３３０の外面に入射するほぼ全ての可視光が通り抜けるように、後壁３３０及び／又は隆起部３７０は視覚的に透明である。いくつかの実施例では、後壁３３０は、その上に入射する可視光の拡散反射により、艶消し又はマット表面の外観を加えることができる。加えて、後壁３３０は、電磁場信号に対して透過性であり、電磁場が後壁３３０を通過して無線充電コイル（例えば、無線充電コイル１４２）に到達することを可能にする。
【００３５】
ポータブル電子デバイス３００−Ａは、角部３０６を有する後壁３３０を含む。角部３０６に隣接して近く（例えば、３ｃｍ未満の距離）にあるのは、後壁３３０の隆起部３７０である。隆起部３７０はまた、ポータブル電子デバイス３００−Ａの上壁３０２−Ａ又は底壁付近に位置付けられてもよい。後壁３３０と同様に、隆起部３７０はまた、ＲＦ透過性及びＥＭＦ透過性材料（例えば、ガラスなど）を含む。いくつかの実施例では、隆起部３７０は、後壁３３０の外面から約０．２ｍｍ〜２ｍｍである。しかしながら、後壁３３０の外面に対する隆起部３７０の外面の高さは、カメラモジュール、ストロボモジュール、及び隆起部３７０によって部分的に担持されるマイクロフォンモジュールの動作及び機能に影響を与えない限り、任意の高さであってもよいことに留意されたい。移行縁部３７２は、後壁３３０を隆起部３７０から分離し、移行縁部３７２は、後壁３３０の厚さと隆起部３７０の厚さとの間の差をブリッジする。いくつかの実施例では、移行縁部３７２は、隆起部３７０の厚さよりも小さい平均厚さを有する。いくつかの実施例では、移行縁部３７２は、湾曲した輪郭を有し、面取り部又はカベット（例えば、凹面）である。移行縁部３７２の面は、後壁３３０及び隆起部３７０の外面に平行ではない。加えて、移行縁部３７２に沿って変化する高さを有する設計美観もまた想定される。移行縁部３７２は、全体にわたって均一な厚さ、及び無限ループを有してもよい。移行縁部３７２は、不均一な厚さを有してもよい。いくつかの実施例では、隆起部３７０の外面は、テクスチャ加工された表面又は平滑な研磨面を有する。後壁３３０の外側表面、移行縁部３７２、及び隆起部３７０は、カメラモジュール、ストロボモジュール、及びマイクロフォンモジュールの動作及び機能に影響を与えない限り、前述の表面仕上げの任意の組み合わせのものであってもよい。いくつかの実施例では、表面仕上げは、艶消し表面の外観を含むことができる。後壁３３０、移行縁部３７２、及び隆起部３７０の外面のテクスチャ加工された表面、又は平滑な研磨された表面仕上げは、化学的エッチング又は機械的エッチングプロセスのうちの少なくとも１つを介して形成されてもよい。
【００３６】
隆起部３７０は、丸みを帯びた角部３７４を有する多角形形状を有する。丸みを帯びた角部３７４は、後壁３３０の外面に対して隆起している。丸みを帯びた角部３７４は、隆起部３７０と後壁３３０との間に配置された移行縁部３７２に沿って湾曲してもよい。他の実施例では、移行縁部３７２は、曲線状の縁部の代わりに直線状の縁部である。移行縁部３７２は、湾曲した表面を有する。移行縁部３７２に沿った任意の表面形状は、カメラモジュール、ストロボモジュール、及び隆起部３７０によって部分的に担持されるマイクロフォンモジュールの動作及び機能に影響を与えない限り、設計上の選択として実装されてもよいことに留意されたい。図３Ａは、隆起部３７０が移行縁部３７２によって完全に境界とされることを示しているが、隆起部３７０は、移行縁部３７２によって部分的にのみ境界とされていてもよいことにも留意されたい。
【００３７】
隆起部３７０は、カメラモジュール、ストロボモジュール、及びマイクロフォンモジュール用の複数の開口部を含む。図３Ａに示すように、隆起部３７０は、第１のカメラ開口部３５０−Ａと、第２のカメラ開口部３５０−Ｂと、第３のカメラ開口部３５０−Ｃと、ストロボ開口部と、マイクロフォン開口部とを含む。これらの開口部は、隆起部３７０の厚さ全体を通して機械加工することによって形成される。第１のカメラ開口部３５０−Ａ内には第１カメラモジュール３６０−Ａが配置され、第２のカメラ開口部３５０−Ｂ内には第２のカメラモジュール３６０−Ｂが配置され、第３のカメラ開口部３５０−Ｃ内には第３のカメラモジュール３６０−Ｃが配置される。カメラモジュール３６０−Ａ、Ｂ、Ｃのそれぞれは、レンズ素子を担持するカメラシャーシを含んでもよい。レンズ素子は、カメラシャーシに対して中心に置かれてもよい。例えば、図３Ａは、第１のレンズ素子３６６−Ａの中心が、第１のカメラモジュール３６０−Ａのカメラシャーシに対して中心に置かれ、第２のレンズ素子３６６−Ｂの中心が、第２のカメラモジュール３６０−Ｂのカメラシャーシに対して中心に置かれ、第３のレンズ素子３６６−Ｃの中心が、第３のカメラモジュール３６０−Ｃのカメラシャーシに対して中心に置かれていることを示す。カメラモジュール３６０−Ａ、Ｂ、Ｃのレンズ素子３６６−Ａ、Ｂ、Ｃは、互いのそれらの位置関係に基づいて較正されることが、当業者には理解されよう。換言すれば、レンズ素子３６６−Ａ、Ｂ、Ｃの中心の位置決めは、ランダムでなくてもよい。いくつかの実施例では、第１及び第２のカメラモジュール３６０−Ａ、Ｂの中心は、互いに対して同じ軸に沿っており、軸は、側壁３０２−Ｂに平行である。
【００３８】
図３Ａは、カメラモジュール３６０−Ａ、Ｂ、Ｃのそれぞれが、レンズ素子３６６−Ａ、Ｂ、Ｃを覆うタレット窓を含むことを示す。第１のタレット窓３６４−Ａはレンズ素子３６６−Ａを覆い、第２のタレット窓３６４−Ｂはレンズ素子３６６−Ｂを覆い、第３のタレット窓３６４−Ｃはレンズ素子３６６−Ｃを覆う。いくつかの実施例では、第１、第２、及び第３のタレット窓３６４−Ａ、Ｂ、Ｃの外面は、隆起部３７０の外面と同一平面上にある。いくつかの実施例では、第１、第２、及び第３のタレット窓３６４−Ａ、Ｂ、Ｃの外面は、隆起部３７０の外面に対して盛り上がっているか、又は凹んでいる。いくつかの場合では、ポータブル電子デバイス３００−Ａの背面が粗い表面を横切って滑るときにタレット窓にひっかき傷が付くのを防止するように、第１、第２、及び第３のタレット窓３６４−Ａ、Ｂ、Ｃは、隆起部３７０の外面に対して凹んでいても、又は同一平面上にあってもよい。
【００３９】
図３Ｂは、いくつかの実施形態に係る、ポータブル電子デバイス３００−Ａの上面図を示す。図３Ｂは、隆起部３７０が、湾曲した／丸みを帯びた縁部を有する概して多角形の形状を有することを示す。いくつかの実施例では、隆起部３７０は、そのような形状がカメラモジュール、ストロボモジュール、及びマイクロフォンモジュールの動作及び機能に影響を与えない限り、円、楕円、矩形、台形、多角形、又は正方形に対応する形状を有してもよい。隆起部３７０の形状は、設計上の選択であってもよく、図３Ｂに示される形状は、他の可能性を限定すると見なされるべきではない。
【００４０】
図３Ｂは、第１のレンズ素子３６６−Ａの中心が、第２のレンズ素子３６６−Ｂの中心及び第３のレンズ素子３６６−Ｃの中心から等距離に分離されていることを示す。実際に、図３Ｂは、第１、第２、及び第３のレンズ素子３６６−Ａ、Ｂ、Ｃが三角形配向に従って配置されていることを示す。いくつかの実施例では、第１、第２、及び第３のレンズ素子３６６−Ａ、Ｂ、Ｃは、正三角形配向で配置される。隆起部は、ストロボモジュール３８２用のストロボ開口部３８０と、マイクロフォンモジュール３８６用のマイクロフォン開口部３８４とを含む。ストロボ開口部３８０の中心及びマイクロフォン開口部３８４の中心は、第１、第２、及び第３のカメラモジュール３６０−Ａ、Ｂ、Ｃから等距離の間隔で配置されてもよい。図３Ｂは、ストロボモジュール３８２が、上壁３０２−Ａにより近く、かつ、マイクロフォンモジュール３８６の上方に配置されていることを示すが、これらのモジュールの位置決めもまた、切り替えられてもよいことに留意されたい。いくつかの実施例では、第３のカメラモジュール３６０−Ｃ、ストロボモジュール３８２、及びマイクロフォンモジュール３８６の中心は、互いに対して同じ軸に沿っており、軸は側壁３０２−Ｂに平行である。いくつかの実施例では、第３のカメラ開口部３５０−Ｃ、ストロボ開口部３８０、及びマイクロフォン開口部３８４の中心は、互いに対して同じ軸に沿っており、軸は側壁３０２−Ｂに平行である。第３のカメラ開口部３５０−Ｃは、ストロボ開口部３８０よりも大きくてもよく、ストロボ開口部３８０は、マイク開口部３８４よりも大きくてもよい。
【００４１】
図３Ｂは、隆起部３７０がポータブル電子デバイス３００−Ａの角部３０６に近接して配置されていることを示す。しかしながら、隆起部３７０はまた、後壁３３０の中心に沿って、後壁３３０の正中線に沿って、又は後壁３３０の正中線に対して非対称に配置されてもよいことに留意されたい。
【００４２】
図３Ｃは、いくつかの実施形態に係る、ポータブル電子デバイス３００−Ｃの斜視図を示す。いくつかの実施形態では、ポータブル電子デバイス３００−Ｃは、図２に示すようなポータブル電子デバイス２００に対応する。上壁３０２−Ａ、底壁、及び側壁３０２−Ｂのエンクロージャは、ポータブル電子デバイス３００−Ｃによって共有されてもよい。しかしながら、後壁３３０の隆起部３７０は、２つのカメラモジュール、例えば、第１のカメラモジュール３６０−Ａ及び第２のカメラモジュール３６０−Ｂを含む。隆起部３７０は、後壁３３０の外面に対して上昇している。隆起部３７０は、図３Ｃに示すように、より高く、より広く、より厚く、より短く、より長く、又はより延長されてもよい。
【００４３】
図３Ｄは、いくつかの実施形態に係る、ポータブル電子デバイス３００−Ｃの上面図を示す。上述のように、隆起部は、２つのカメラモジュール、例えば、第１のカメラモジュール３６０−Ａ及び第２のカメラモジュール３６０−Ｂを含む。ストロボモジュール３８２は、第１及び第２のレンズ素子３６６−Ａ、Ｂの中心から等距離にあってもよい。加えて、マイクロフォンモジュール３８６は、ストロボモジュール３８２の上方に位置決めされてもよい（すなわち、マイクロフォンモジュール３８６は、上壁３０２−Ａにより近く、位置決めされる）。
【００４４】
図３Ｅは、いくつかの実施形態に係る、断面Ｄ−Ｄに沿って切り取られた（図３Ｄを参照）ポータブル電子デバイス３００−Ｃの断面図を示す。断面図はまた、ポータブル電子デバイス３００−Ａに適用され得ることに留意されたい。図３Ｅに示すように、上壁３０２−Ａは、誘電体バンド３１２を介して側壁３０２−Ｂから電気的に絶縁されている。誘電体バンド３１２の外面は、上壁及び側壁３０２−Ａ、Ｂの外面と同一平面であってもよい。上壁及び側壁３０２−Ａ、Ｂは、ポータブル電子デバイス３００−Ａの前面に沿って保護カバー３０４を担持するトリム構造体に固定される。ポータブル電子デバイス３００−Ａの対向する背面上には、後壁３３０がある。後壁３３０は、移行縁部３７２に沿って隆起部３７０に移行する。第１及び第２のカメラモジュール３６０−Ａ、Ｂは、隆起部３７０内に配置される。移行縁部３７２は、湾曲した輪郭又は湾曲した表面を有してもよい。隆起部３７０は、第１のトリム構造体３２２−Ａ、Ｂによって覆われた平坦な外面を有する。第１のトリム構造体３２２−Ａ、Ｂは、隆起部３７０の一部を覆う外面を有する。加えて、第２のトリム構造体３２４−Ａ、Ｂは、第１のトリム構造体３２２−Ａ、Ｂの外面から盛り上がって延在する外面を有する。第１のトリム構造体３２２−Ａ、Ｂは、均一又は不均一な高さを有してもよい。第２のトリム構造体３２４−Ａ、Ｂは、均一又は不均一な高さを有してもよい。
【００４５】
図３Ｆ〜図３Ｈは、いくつかの実施形態に係る、ポータブル電子デバイスの上面図を示す。図３Ｆは、隆起部３７０を含む後壁３３０を有するポータブル電子デバイス３００−Ｆの上面図を示す。隆起部３７０は、円形形状を有する。加えて、ストロボ開口部３８０及びマイクロフォン開口部３８４は、円形の開口部を有する。更に、図３Ｆは、第１、第２、及び第３のカメラ開口部３５０−Ａ、Ｂ、Ｃが、第２及び第３のカメラ開口部３５０−Ｂ、Ｃが第１及び第２のカメラ開口部３５０−Ａ、Ｂを分離する第２の距離よりも小さい第１の距離だけ分離されるように画定される、Ｌ字形に配向されていることを示す。図３Ｆは、第１及び第２のカメラモジュール３６０−Ａ、Ｂが互いに位置合わせされ、第２及び第３のカメラモジュール３６０−Ｂ、Ｃが互いに位置合わせされていることを示す。図３Ｇは、隆起部３７０を含む後壁３３０を有するポータブル電子デバイス３００−Ｇの上面図を示す。隆起部３７０は、曲線状の台形形状を有する。加えて、ストロボ開口部３８０及びマイクロフォン開口部３８４は、多角形開口部及び曲線形状の開口部を有する。図３Ｈは、第１及び第３のカメラモジュール３６０−Ａ、Ｃが、上壁３０２−Ａに平行な同じ軸に沿って位置合わせされるように三角形方向に配向されている、第１、第２、及び第３のカメラモジュール３６０−Ａ、Ｂ、Ｃを有するポータブル電子デバイス３００−Ｈの上面図を示す。加えて、マイクロフォンモジュール３８６及びストロボモジュール３８２は、第２のカメラモジュール３６０−Ｂの対向する両側に配置されている。
【００４６】
図３Ａ〜図３Ｈに示される実施形態のいずれかに関して説明された寸法、特徴、及び形状は、カメラモジュール、ストロボモジュール、及びマイクロフォンモジュールを意図するように機能させることを可能にすることができる、多くの設計上の可能性を単に表すものであることに留意されたい。カメラモジュール３６０−Ａ、Ｂ、Ｃ、ストロボモジュール３８２、及びマイクロフォンモジュール３８６用の開口部は、矩形、正方形、円、三角形などの形状の任意の組み合わせであってもよい。一実施例では、第１のカメラ開口部３５０−Ａは円形であり、第２のカメラ開口部３５０−Ｂは多角形形状である。別の実施例では、第１のカメラ開口部３５０−Ａは円形であり、第２及び第３のカメラ開口部３５０−Ｂ、Ｃは矩形である。加えて、カメラモジュール３６０−Ａ、Ｂ、Ｃ用の第１、第２、及び第３の開口部は、Ｌ字方向、三角形方向、円形方向、又は任意の他の方向で配向されてもよい。第１、第２、及び第３の開口部３５０−Ａ、Ｂ、Ｃ内のカメラモジュール３６０−Ａ、Ｂ、Ｃの位置決めは、相互交換可能であることに留意されたい。例えば、第１のカメラモジュール３６０−Ａは、第２の開口部３５０−Ｂ内に位置決めされてもよく、第２のカメラモジュール３６０−Ｂは、第３の開口部３５０−Ｃ内に位置決めされてもよく、第３のカメラモジュール３６０−Ｃは、第１の開口部３５０−Ａ内に位置決めされてもよい。加えて、第１及び第２のカメラモジュール３６０−Ａ、Ｂの位置決めは、第１及び第２の開口部３５０−Ａ、Ｂに対して相互交換可能である。例えば、望遠レンズの位置は広角レンズの位置と交換することができる。
【００４７】
図４は、いくつかの実施形態に係る、ポータブル電子デバイス４００の分解斜視図を示す。ポータブル電子デバイスは、一緒に結合された、上壁４０２−Ａ、底壁４０２−Ｂ、及び側壁４０２−Ｃを有するエンクロージャ４０２を含む。上壁、底壁、及び側壁４０２−Ａ、Ｂ、Ｃは、その内部に動作構成要素を担持することができる空洞４１０を画定する。加えて、側壁４０２−Ｃは、ポータブル電子デバイス４００の周囲に沿って配置された金属バンド４０４を含む。金属バンド４０４は、後壁４３０に結合される。後壁４３０は、金属バンド４０４に接着又は溶接された透明な保護層であってもよい。非金属材料は、ＲＦ信号及び電磁場が後壁４３０を通過することを可能にする。加えて、後壁は、後壁４３０の残りの部分に対するプラトー４３２（又は隆起部）を含む。プラトー４３２は、カメラタレット４１６−Ａ、Ｂ、Ｃ用の開口部４０８−Ａ、Ｂ、Ｃをそれぞれ含む。カメラタレット４１６−Ａ、Ｂ、Ｃは、ガラス窓を含む。プラトー４３２はまた、ストロボモジュール及びマイクロフォン（図示せず）用の開口部４６０、４７０を含む。
【００４８】
金属バンド４０４は、支持プレート４５０に結合されている。支持プレート４５０は、電子構成要素（例えば、メインロジックボード、補助ロジックボードなど）を担持することができる。しかしながら、支持プレート４５０はまた、支持プレート４５０の厚さを通して配置された、１つ以上の無線アンテナ４５２及びカメラモジュール４１０−Ａ、Ｂ、Ｃ用のいくつかの開口部を含む。いくつかの実施例では、無線アンテナ４５２は、超広帯域アンテナである。例えば、支持プレート４５０は、開口部４０８−Ｃ及びカメラモジュール４１０−Ｃと位置合わせされた開口部４２８−Ｃを含む。特に、カメラモジュール４１０−Ａ、Ｂ、Ｃは、支持プレート４５０の厚さを通して配置される。支持プレート４５０はまた、無線充電コイル用の穴４８０を含む。特に、電磁場は、支持プレート４５０の穴４８０を通過して、無線充電コイルに到達することができる。穴４８０は、完全に切り抜かれた／除去された支持プレート４５０の領域に対応してもよい。
【００４９】
カメラモジュール４１０−Ａ、Ｂ、Ｃは、ブレース構造体４３４によって担持される。ブレース構造体４３４は、カメラモジュール４１０−Ａ、Ｂ、Ｃのそれぞれを所定の位置に位置合わせする（例えば、開口部４０８−Ａ、Ｂ、Ｃに位置合わせする）ための個々のブラケット及びバネを含む。いったんカメラモジュール４１０−Ａ、Ｂ、Ｃがブレース構造体４３４のブラケット内に固定され、位置合わせされると、ブレース構造体４３４は、支持プレート４５０のベースの上に取り付けられる。ブレース構造体４３４は、ポータブル電子デバイス１００、２００が落下事象にさらされたときに最適な負荷分散経路を提供するように、様々な剛性度を有するように調整されてもよい。加えて、本明細書に説明される支持プレート４５０、ブレース構造体４３４、及びトリム構造体は、動作構成要素から離れて、代わりにエンクロージャに向かって、負荷を選択的に偏向させるように調整することができるため、概してユニボディ構造で形成され、その結果、負荷に関連する応力に耐えることができるより大きな剛性量を有する。
【００５０】
図５Ａ及び図５Ｂは、いくつかの実施形態に係る、ポータブル電子デバイスの様々な断面図を示す。特に、図５Ａは、図１Ｂのポータブル電子デバイス１００のＡ−Ａ断面に沿って切り取られたカメラアセンブリの断面図５００−Ａを示す。ポータブル電子デバイス１００は、側壁５０２及び後壁５３０によって画定されたエンクロージャを含む。特に、側壁５０２は、後壁５３０に固定された金属バンド５０４を含む。いくつかの例では、金属バンド５０４は、接着剤、締結具、又は溶接のうちの少なくとも１つを介して後壁５３０に固定される。側壁５０２は、保護カバー５０４を支持するトリム構造体（図示せず）を担持する。いくつかの実施例では、保護カバー５０４は、ディスプレイアセンブリを覆う。後壁５３０はまた、背面保護カバーと呼ばれてもよい。
【００５１】
後壁５３０は、透過性材料（例えば、ガラス）から形成され、隆起部（又はプラトー）を含む。特に、後壁５３０は、第１のセクション５３２−Ａと、第１のセクション５３２−Ａに対して隆起した第２のセクション５３２−Ｂとを含む。第１のセクション５３２−Ａは、第１の厚さ（Ｔ１）を有し、第２のセクション５３２−Ｂは、第１の厚さ（Ｔ１）よりも大きい第２の厚さ（Ｔ２）を有する。いくつかの実施例では、第２の厚さ（Ｔ２）は、第１の厚さ（Ｔ１）の１倍〜３倍超である。いくつかの実施例では、第１の厚さは０．７ｍｍであり、第２の厚さは１．５ｍｍである。第２のセクション５３２−Ｂは、移行セクション５３２−Ｔを介して第１のセクション５３２−Ａに対して隆起している。移行セクション５３２−Ｔは湾曲しているが、ポータブル電子デバイス１００の設計美観に応じて角度が付けられてもよい。いくつかの実施例では、第２のセクション５３２−Ｂの外面は、第１のセクション５３２−Ａの外面に対して平行又は非平行である。いくつかの実施例では、後壁５３０は、スプライン形状を有することを特徴とする。第１のセクション５３２−Ａは、湾曲していてもよく、又は輪郭付けられていてもよい。
【００５２】
図５Ａに示すように、ポータブル電子デバイス１００は、第１のカメラモジュール５１０−Ａ及び第２のカメラモジュール５１０−Ｂを含む。特に、第１及び第２のカメラモジュール５１０−Ａ、Ｂは、側壁５０２の厚さを超える厚さを有する。従って、第１及び第２のカメラモジュール５１０−Ａ、Ｂは、側壁５０２の遠位端部（又は底面）を越えて突出する。しかしながら、後壁５３０の第２のセクション５３２−Ｂは、ポータブル電子デバイス１００の空洞５０６内の第１及び第２のカメラモジュール５１０−Ａ、Ｂを隠すのに十分な厚さを有する。特に、後壁５３０の側壁５０２及び第２のセクション５３２−Ｂは、第１及び第２のカメラモジュール５１０−Ａ、Ｂの厚さを超える組み合わせ厚さを有する。
【００５３】
いくつかの実施形態によれば、第１及び第２のカメラモジュール５１０−Ａ、Ｂは、シャーシ５２８によって担持される。いくつかの実施例では、シャーシ５２８は、ポータブル電子デバイス１００の長期使用中の曲がりを防止及び／又は最小化するのに十分な、ステンレス鋼、チタン、又は他の金属で形成される。特に、ポータブル電子デバイス１００は、落下事象にさらされやすいため、シャーシ５２８は、第１及び第２のカメラモジュール５１０−Ａ、Ｂが互いに対して位置ずれを起こすことを防止するのに十分な剛性を有する。前述のように、カメラモジュールは、互いに対して較正されてもよい。更に、第１及び第２のカメラモジュール５１０−Ａ、Ｂは、シャーシインサート５２７を使用して固定される。特に、シャーシインサート５２７は、ポータブル電子デバイス１００が熱にさらされたときに、シャーシ５２８が膨張することを防止及び／又は最小化するように、低い線熱膨張係数（ＣＴＥ）を有する。有利には、この低いＣＴＥにより、熱にさらされると、第１及び第２のカメラモジュール５１０−Ａ，Ｂの位置ずれも防止及び／又は最小化する。加えて、第１及び第２のカメラモジュール５１０−Ａ、Ｂは、シャーシ５２８及びシャーシインサート５２７にエポキシで接合される。いくつかの実施例では、シャーシインサート５２７は、第１及び第２のカメラモジュール５１０−Ａ、Ｂがポータブル電子デバイス１００内に組み立てられるときの静止力からの偏向／位置ずれを最小化するために、高弾性率材料（ＬＣＰ）で形成される。いくつかの実施例では、シャーシインサート５２７は、エポキシよりも高い剛性量を有する。
【００５４】
第１のカメラモジュール５１０−Ａは、レンズ素子５１４−Ａと、鏡筒５１６−Ａと、レンズ素子５１４−Ａ及び鏡筒５１６−Ａを収容するタレット５１２−Ａとを含む。第２のカメラモジュール５１０−Ｂは、レンズ素子５１４−Ｂと、鏡筒５１６−Ｂと、レンズ素子５１４−Ｂ及び鏡筒５１６−Ｂを収容するタレット５１２−Ｂとを含む。第１及び第２のカメラモジュール５１０−Ａ、Ｂは、ブレース構造体５３４を使用して所定の位置合わせ及び位置に固定される。特に、第１及び第２のカメラモジュール５１０−Ａ、Ｂは、ブレース構造体５３４によって担持される。ブレース構造体５３４は、接着剤によって後壁５３０の表面に固定されてもよい。
【００５５】
いくつかの実施形態によれば、ポータブル電子デバイス１００は、第１のトリム構造体５２２（外側トリム構造体とも呼ばれる）と、第２のトリム構造体５２４（内側トリム構造体とも呼ばれる）とを含む。第１及び第２のトリム構造体５２２、５２４は、互いに溶接されてトリム構造体アセンブリを形成し、ユニットとして空洞５０６内に設置される。第１のトリム構造体５２２は、設置されると、（ポータブル電子デバイス１００を後壁５３０が上向きの状態で見たときに）後壁５３０の第２のセクション５３２−Ｂの少なくとも一部を覆う外面を有するオーバーハングを含む。特に、第１のトリム構造体５２２は、第２のセクション５３２−Ｂに対して圧入される。第２のトリム構造体５２４もまた、第１のトリム構造体５２２に対して圧入される。第２のトリム構造体５２４は、第１のトリム構造体５２２のオーバーハングの外面に盛り上がった外面を有する。特に、外面は、摩耗痕が第２のトリム構造体５２４の視覚的外観に影響を及ぼすことを防ぐダイヤモンドライクカーボン（ＤＬＣ）コーティングでコーティングされてもよく、一方、第１のトリム構造体５２２の外面は、金属コーティング（例えば、陽極酸化アルミニウムなど）でコーティングされるか、側壁５０２の色とマッチングするようにカラーコーティングされる。いくつかの実施例では、第１のトリム構造体５２２は、陽極酸化アルミニウムで形成される。第２のトリム構造体５２５は、ステンレス鋼で形成されてもよい。有利には、ＤＬＣコーティングは、金属コーティングよりも耐磨耗性であるため、第２のトリム構造体５２４の外面は、ポータブル電子デバイス１００が平面又は物体を横切って動いているときなどに、外面への摩耗痕を最小化及び／又は排除する、外面の盛り上がりを有している。いくつかの実施例では、ＤＬＣコーティングは、金属コーティングよりも５倍〜１０倍、耐摩耗性である。加えて、ＤＬＣコーティングは、第１及び第２のカメラモジュール５１０−Ａ、Ｂの存在を隠し、並びに迷光反射が第１及び第２のカメラモジュール５１０−Ａ、Ｂに入るのを最小化するように、黒い外観を有してもよい。
【００５６】
いくつかの実施形態によれば、第１のトリム構造体５２２及び第２のトリム構造体５２４は、Ｏリング５２６で封止される。いくつかの実施例では、複数のＯリング５２６が、後壁５３０と、第１及び第２のトリム構造体５２２、５２４との間の任意の境界面にわたって配置されて、空洞５０６への水分の侵入を防止する。ブレース構造体５３４は、図７Ａ及び図７Ｂを参照してより詳細に説明されるように、溶接ワッシャ（図示せず）を介して、第１及び第２のトリム構造体５２２、５２４に固定されてもよい。いくつかの実施形態では、タレット５１２−Ａ、Ｂの外面は、第２のトリム構造体５２４の外面と同一平面上にある。ポータブル電子デバイス１００は、単一のトリム構造体又は複数のトリム構造体を利用してもよいことに留意されたい。更に、図５Ａは、後壁５３０の隆起部（例えば隆起部３７０）の対向する端部に配置された第２のトリム構造体５２４のセットを示す。これらの第２のトリム構造体５２４は、第１及び第２のカメラモジュール５１０−Ａ、Ｂを固定する。加えて、これらの第２のトリム構造体５２４は、第１のトリム構造体５２２のオーバーハングの外面に盛り上がった均一な高さの外面を有してもよい。
【００５７】
特に、図５Ｂは、図１Ｂのポータブル電子デバイス１００のＢ−Ｂ断面に沿って切り取られたカメラアセンブリの断面図５００−Ｂを示す。ポータブル電子デバイス１００は、側壁５０２及び後壁５３０によって画定されるエンクロージャを含む。特に、側壁５０２は、後壁５３０に固定された金属バンド５０４を含む。いくつかの例では、金属バンド５０４は、接着剤、締結具、又は溶接のうちの少なくとも１つを介して後壁５３０に固定される。側壁５０２は、保護カバー５０４を支持するトリム構造体（図示せず）を担持する。いくつかの実施例では、保護カバー５０４は、ディスプレイアセンブリを覆う。
【００５８】
図５Ａに示すようなポータブル電子デバイス１００のカメラアセンブリ１６０のＡ−Ａ断面とは異なり、カメラアセンブリ１６０のＢ−Ｂ断面は、単一のカメラモジュールを示す。図５Ｂは、カメラアセンブリ１６０の断面図５００−Ｂが、第３のカメラモジュール５１０−Ｃを含むことを示す。第３のカメラモジュール５１０−Ｃは、レンズ素子５１４−Ｃ、鏡筒５１６−Ｃ、並びにレンズ素子５１４−Ｃ及び鏡筒５１６−Ｃを収容するタレット５１２−Ｃを含む。第３のカメラモジュール５１０−Ｃは、第１及び第２のカメラモジュール５１０−Ａ、Ｂに対して、三角形配向で位置合わせされる。第３のカメラモジュール５１０−Ｃは、ブレース構造体５３４を使用して所定の位置に付勢される。
【００５９】
更に、断面図５００−Ｂは、後壁５３０の第２のセクション５３２−Ｂの厚さの開口部を通って配置されたストロボモジュール５７０を示す。いくつかの実施例では、開口部５７２は、第２のセクション５３２−Ｂ内に形成される。ストロボモジュール５７０は、開口部５７２内に配置される。ポータブル電子デバイス１００を保護カバー５０４が上向きの状態で見たときに、ＩＲ発光器及び検出モジュール５８０は、ストロボモジュール５７０を覆っている。ＩＲ発光器及び検出モジュール５８０は、支持プレート５５０によって担持されてもよい。開口部５７２は、後壁５３０の第２のセクション５３２−Ｂの対向する縁部によって画定される円形の穴を有してもよい。ストロボモジュール５７０は、対向する縁部に対してＯリング５２６を用いて気密封止される。ブレース構造体５３４は、第２のセクション５３２−Ｂ内の開口部５７２と位置合わせされたストロボモジュール５７０用の開口部を含む。設置されると、ストロボモジュール５７０は、ポータブル電子デバイス１００を保護カバー５０４が上向きの状態で見たときに、支持プレート５５０及びブレース構造体５３４によって覆われている。ストロボモジュール５７０の上方にＩＲ発光器及び検出モジュール５８０を位置決めするため、ストロボモジュール５７０は、Ｚ方向に大きすぎることはできない。有利には、後壁５３０のプラトーは、ストロボモジュール５７０並びにＩＲ発光器及び検出モジュール５８０が同じＺ方向に沿って適合されることを可能にする。
【００６０】
加えて、断面図５００−Ｂは、空洞５０６内に担持されたマイクロフォンモジュール５６０を示す。マイクロフォンモジュール５６０は、後壁５３０の第２のセクション５３２−Ｂの厚さを通して配置された検出構成要素５６２を含む。第２のセクション５３２−Ｂは、検出構成要素５６２用の開口部５７４を含む。いくつかの実施例では、ブレース構造体５３４は、マイクロフォン５６０を所定の位置に担持する。ブレース構造体５３４は、第２のセクション５３２−Ｂの開口部５７４と位置合わせされたマイクロフォンモジュール５６０用の開口部を含む。
【００６１】
図６Ａ及び図６Ｂは、いくつかの実施形態に係る、ポータブル電子デバイスの断面図を示す。特に、図６Ａは、図２のＣ−Ｃ断面に沿って切り取られたポータブル電子デバイス２００の断面図６００を示す。図５Ａ及び図５Ｂと同様に、ポータブル電子デバイス２００は、側壁及び後壁６３０によって画定されるエンクロージャを含む。特に、側壁は、後壁６３０に固定された金属バンドを含む。いくつかの例では、金属バンドは、接着剤、締結具、又は溶接のうちの少なくとも１つを介して後壁６３０に固定される。図６Ｂは、ポータブル電子デバイス２００が、第１のセクション６３２−Ａと、第１のセクション６３２−Ａに対して隆起した第２のセクション６３２−Ｂとを有する後壁６３０を含むことを示す。図６Ａに示すように、ポータブル電子デバイス２００は、第１のカメラモジュール６１０−Ａと第２のカメラモジュール６１０−Ｂとを含む。第１及び第２のカメラモジュール６１０−Ａ、Ｂは、ブレース構造体６３４によって担持される。
【００６２】
第１のカメラモジュール６１０−Ａは、レンズ素子６１４−Ａ及び鏡筒６１６−Ａを含む。第２のカメラモジュール６１０−Ｂは、レンズ素子６１４−Ｂ及び鏡筒６１６−Ｂを含む。第１及び第２のカメラモジュール６１０−Ａ、Ｂは、シャーシ６２８に結合される。有利には、シャーシ６２８は、第１及び第２のカメラモジュール６１０−Ａ、Ｂをストロボモジュール１６４の向きに維持する。
【００６３】
いくつかの実施形態によれば、第１及び第２のカメラモジュール６１０−Ａ、Ｂは、シャーシ６２８によって担持される。シャーシ６２８は、ポータブル電子デバイス２００の長期使用中の曲がりを防止及び／又は最小化するのに十分な、ステンレス鋼、チタン、又は他の金属で形成される。更に、第１及び第２のカメラモジュール６１０−Ａ、Ｂは、シャーシインサート６２５を使用して固定される。特に、シャーシインサート６２５は、ポータブル電子デバイス２００が熱にさらされたときに、シャーシ６２８が膨張することを防止及び／又は最小化するように、低い線熱膨張係数（ＣＴＥ）を有する。有利には、この低いＣＴＥはまた、熱にさらされと、第１及び第２のカメラモジュール６１０−Ａ，Ｂの位置ずれを防止及び／又は最小化する。加えて、第１及び第２のカメラモジュール６１０−Ａ、Ｂは、シャーシ６２８及びシャーシインサート６２５にエポキシで接合される。いくつかの実施例では、シャーシインサート６２５は、高弾性率材料（ＬＣＰ）で形成される。高弾性率材料の使用により、第１及び第２のカメラモジュール６１０−Ａ、Ｂをポータブル電子デバイス２００に組み付けるときの、静止力からのたわみ／位置ずれを最小化する。図６Ａは、エポキシとシャーシインサート６２５との組み合わせが、第１及び第２のカメラモジュール６１０−Ａ、Ｂの法線と、ポータブル電子デバイス２００の保護カバー６０４との間のほぼ直交する位置合わせを可能にすることを示す。
【００６４】
図６Ｂに示すように、ポータブル電子デバイス２００は、Ｏリング６２６で封止された第１及び第２のトリム構造体６２２、６２４を含む。第１及び第２のトリム構造体６２２、６２４は、後壁６３０と第１のカメラモジュール６１０−Ａとの間に取り付けられる。後壁６３０はまた、保護カバー又はガラスカバーと呼ばれてもよい。他の実施形態では、ポータブル電子デバイス２０は、後壁６３０と第１のカメラモジュール６１０−Ａとの間に取り付けられる単一のトリム構造体のみ（例えば、第１のトリム構造体６２２のみ）を含み得ることに留意されたい。特に、後壁６３０は、第１のセクション６３２−Ａと、第１のセクション６３２−Ａに対して隆起した第２のセクション６３２−Ｂとを含む。第１のセクション６３２−Ａは、第１の厚さを有し、第２のセクション６３２−Ｂは、第１の厚さよりも大きい第２の厚さを有する。ブレース構造体６３４は、溶接ワッシャ（図示せず）を介して、第１及び第２のトリム構造体６２２、６２４に固定されてもよい。
【００６５】
図７Ａ及び図７Ｂは、いくつかの実施形態に係る、ポータブル電子デバイスの様々な斜視図を示す。図７Ａ及び図７Ｂを参照してより詳細に説明するように、溶接ワッシャの使用により、異なるタイプのトリム構造体をポータブル電子デバイス１００、２００のエンクロージャ内に実装することが可能になる。実際に、溶接ワッシャは、組み立て公差を許容しながら、後壁（例えば、後壁１３０）に対して取り付けられるトリム構造体の異なる組み合わせを可能にする。
【００６６】
図７Ａは、いくつかの実施形態に係る、ポータブル電子デバイス１００の斜視断面図７００−Ａを示す。ポータブル電子デバイス１００は、側壁７０２及び後壁７３０によって画定されたエンクロージャを含む。側壁７０２及び後壁７３０は、一緒に、その内部に動作構成要素を担持することができる空洞を画定する。側壁７０２は、金属バンド７０４を含み、金属バンド７０４は、接着剤、締結具、又は溶接のうちの少なくとも１つを介して後壁７３０に固定される。側壁７０２は、保護カバー７０８を担持するトリム構造体を含む。保護カバー７０８は、ディスプレイアセンブリ７０６を覆う。ディスプレイアセンブリ７０６は、発光ダイオード（ＬＥＤ）層などの薄いフィルムを含む。
【００６７】
本明細書に前述したように、後壁７３０は、第１のセクション７３２−Ａ及び第２のセクション７３２−Ｂを含む。第２のセクション７３２−Ｂは、第２のセクション７３２−Ｂが第１のセクション７３２−Ａの第１の厚さ（Ｔ１）よりも大きい第２の厚さ（Ｔ２）を有するように、第１のセクション７３２−Ａに対して隆起している。
【００６８】
ポータブル電子デバイス１００は、空洞内に配置されたカメラモジュール７１０を含む。カメラモジュール７１０は、鏡筒７１６及びタレット７１２を含む。カメラモジュール７１０は、ブレース構造体７３４によって担持される。図７Ａに示すように、ブレース構造体７３４は、Ｌ字形状を有する。特に、そのＬ字形状により、Ｌ字形状によって画定される開口部内に溶接ワッシャを嵌合することを可能にする。いくつかの実施例では、溶接ワッシャは、Ｌ字形状の厚さ内に適合するようにサイズ決めされる。
【００６９】
ポータブル電子デバイス１００は、ストロボモジュール７７０を含む。ストロボモジュール７７０は、ストロボカウリング７７４によって支持される。ストロボカウリング７７４は、ストロボカウリング７７４がブレース構造体７３４に固定されるように、カウリング溶接ナット７４０を含む。図７Ａに示すように、ストロボモジュール７７０は、第２のセクション７３２−Ｂの対向する縁部間に配置された開口部７７２を通して嵌合される。第１のトリム構造体７２２は、（ポータブル電子デバイス１００を後壁７３０が上向きの状態で見たときに）第２のセクション７３２−Ｂの一部を覆うオーバーハングを有する。第２のトリム構造体７２４は、（ポータブル電子デバイス１００を後壁７３０が上向きの状態で見たときに）第１のトリム構造体７２２のオーバーハングの外面に盛り上がった外面を有する。第１及び第２のトリム構造体７２２、７２４は、一緒に溶接され、Ｏリング７２６を用いて互いに気密絶縁されている。
【００７０】
図７Ａに示すように、ＩＲ発光器及び検出モジュール７８０は、（ポータブル電子デバイス１００を保護カバー７０８が上向きの状態で見たときに）ストロボモジュール７７０を覆う。加えて、ＩＲ発光器及び検出モジュール７８０は、支持プレート７５０によって支持される。
【００７１】
図７Ａに示すように、カメラモジュール７１０のタレット７１２は、後壁７３０の第２のセクション７３２−Ｂ（プラトーとも呼ばれる）からわずかに盛り上がっている。第１及び第２のトリム構造体７２２、７２４は、カメラモジュール７１０の寸法の存在を収容するのに役立つ。後壁７３０のプラトーがなければ、ポータブル電子デバイス１００は、カメラモジュールを収容するために、ずっと高いトリム構造体（単数又は複数）を必要とし得ることに留意されたい。より高いトリム構造体（単数又は複数）は、ポータブル電子デバイスをより重く、よりかさばらせる。代わりに、電子構成要素（例えば、カメラモジュール、ストロボモジュールなど）を担持するポータブル電子デバイス１００のセクションにおいて、より厚い後壁７３０を有するプラトーを実装することによって、より小さいトリム構造体を利用することが可能になる。実際に、当業者であれば、より高いトリム構造体が、ポータブル電子デバイスの他の支持構造体に対して、製造及び組み立てがより複雑になることを理解されたい。
【００７２】
図７Ｂは、いくつかの実施形態に係る、ポータブル電子デバイス１００の斜視断面図７００−Ｂを示す。ポータブル電子デバイス１００は、鏡筒７１６及びタレット７１２を有するカメラモジュール７１０を含む。タレット７１２は、第１及び第２のトリム構造体７２２、７２４を使用して適所に固定される。第２のトリム構造体７２４は、接着剤７４４を介して、タレット７１２の一部に固定される。加えて、第１及び第２のトリム構造体７２２、７２４は、Ｏリング７２６を介して、互いから、及び後壁７３０の第２のセクション７３２−Ｂから、気密封止される。
【００７３】
図７Ｂは、後壁７３０の第２のセクション７３２−Ｂの表面に接着された支持プレート７５０を示している。支持プレート７５０を覆っているのは、ブレース構造体７３４である。ブレース構造体７３４に隣接して、溶接ワッシャ７４２がある。特に、溶接ワッシャ７４２の厚さは、ブレース構造体７３４の厚さよりも薄い。製造プロセス中、第１及び第２のトリム構造体７２２、７２４は一緒に設置される。その後、ブレース構造体７３４は、ポータブル電子デバイス１００の空洞内に組み立てられ、第１及び第２のトリム構造体７２２、７２４に接合される。続いて、溶接ワッシャ７４２が使用されて、第２のトリム構造体７２４をブレース構造体７３４に溶接する。有利には、溶接ワッシャ７４２の使用により、３つのカメラモジュール及び２つのカメラモジュールをそれぞれ担持するポータブル電子デバイス１００、２００内に異なるタイプのトリム構造体を実装することが可能になる。図７Ａ及び図７Ｂは、ポータブル電子デバイス１００に向けられており、第１及び第２のセクション７３２−Ａ、Ｂを有する後壁７３０は、ポータブル電子デバイス２００と相互交換可能に使用されてもよい。溶接ワッシャ７４２は、第１及び第２のトリム構造体７２２、７２４をおおよその位置に取り付けることを可能にすることによって、組み立て公差を可能にする。溶接ワッシャ７４２は、第１及び第２のトリム構造体７２２、７２４間の緊密なクリアランスを可能にする。溶接ワッシャ７４２は、Ｘ方向及びＹ方向における異なるトリム構造体の変化に対して位置決めされ、溶接ワッシャ７４２は、Ｚ方向に浮く。更に、特にポータブル電子デバイス１００が複数のトリム構造体を含む場合、溶接ワッシャ７４２は、第２のトリム構造体７２４がブレース構造体７３４に対して衝突するのを防止する。溶接ワッシャ７４２がなければ、ブレース構造体７３４と第２のトリム構造体７２４との間のギャップを増大させることが必要であろう。
【００７４】
図８Ａ〜図８Ｄは、いくつかの実施形態に係る、ポータブル電子デバイス８００の動作構成要素の様々な斜視図を示す。ポータブル電子デバイス１００を参照して説明されているが、本明細書に説明される支持構造体及び動作構成要素は、ポータブル電子デバイス２００に示される実施形態に適用され得ることにも留意されたい。図８Ａは、空洞を画定する側壁８０２を有するエンクロージャを含むポータブル電子デバイス８００の斜視図を示す。支持プレート８５０は、空洞内に配置され、側壁８０２の金属バンドに固定される。支持プレート８５０は、支持プレート８５０のベース８５２の上に取り付けられたブレース構造体８３４を担持する。
【００７５】
いくつかの実施形態によれば、ブレース構造体８３４は、第１、第２、及び第３のカメラモジュール（例えば、それぞれ１６２−Ａ、Ｂ、Ｃ）に対してサイズ決め及び位置合わせされた、フロア８３６内に形成された開口部８０８−Ａ、Ｂ、Ｃを有するフロア８３６を含む。開口部８０８−Ａ、Ｂ、Ｃのそれぞれは、溶接ワッシャ８４２によって取り囲まれている。
【００７６】
特に、ブレース構造体８３４は、ブレース構造体８３４の壁８４４に対して既知の位置にカメラモジュールを係合させることができる接地／付勢バネ８７０を含む。加えて、接地／付勢バネ８７０はまた、カメラモジュールを接地する。いくつかの実施例では、接地／付勢バネ８７０は、カメラモジュールを支持プレート８５０及び後壁（例えば、後壁７３０）内の開口部と正確に位置合わせするように付勢する既知のデータとして機能する。有利には、接地／付勢バネ８７０は、カメラモジュールのアパーチャが中心に置かれ、位置合わせされることを確実にする。実際には、カメラモジュールは、ブレース構造体８３４内に設置される前に、ソフトウェアを使用して電子的に較正されてもよい。このように、カメラモジュールのアパーチャが位置合わせされることが重要である。実際に、位置合わせされていないアパーチャが、写真のけられを引き起こす場合がある。
【００７７】
ブレース構造体８３４はまた、マイクロフォンモジュール（例えば、マイクロフォンモジュール５６０）を支持プレート８５０及び後壁（例えば後壁７３０）内の開口部と位置合わせすることを可能にする、フロア８３６内に配置された開口部８６０を含む。ブレース構造体８３４は、ブレース構造体８３４の壁に対してマイクロフォンモジュールを付勢するためのタブ８３８を含む。
【００７８】
図８Ｂは、いくつかの実施形態に係る、ブレース構造体８３４の斜視図を示す。ブレース構造体８３４は、カメラモジュール（例えば、第１、第２、及び第３のカメラモジュール５１０−Ａ、Ｂ、Ｃ）用の開口部８０８−Ａ、Ｂ、Ｃを含む。ブレース構造体８３４は、カメラモジュールを壁８４４に対して既知の位置に係合する接地／付勢バネ８７０を含む。開口部８０８−Ａ、Ｂ、Ｃのそれぞれは、溶接ワッシャ８４２によって取り囲まれている。実際に、ブレース構造体８３４の壁８４４は、溶接ワッシャ８４２に対するクリアランスを許容する高さを有する。溶接ワッシャ８４２は、壁８４４の高さ内に嵌合することができる。実際に、溶接ワッシャ８４２を壁８４４の高さを越えて延在させることは望ましくない。
【００７９】
図８Ｃは、いくつかの実施形態に係る、カメラモジュールアセンブリ８１０の上面斜視図を示す。特に、カメラモジュールアセンブリ８１０は、第１、第２、及び第３のカメラモジュール８１０−Ａ、Ｂ、Ｃを含む。第１、第２、及び第３のカメラモジュール８１０−Ａ、Ｂ、Ｃがブレース構造体８３４によって担持されるときに、タレットがブレース構造体８３４の遠位端部からの盛り上がりであるように、第１、第２、及び第３のカメラモジュール８１０−Ａ、Ｂ、Ｃのそれぞれが、それぞれのタレットを含む。第１、第２、及び第３のカメラモジュール８１０−Ａ、Ｂ、Ｃは、シャーシ８２０内で担持される。シャーシ８２０は、ブレース構造体８３４のフロア８３６上に取り付けられる。接地／付勢バネ８７０は、シャーシ８２０及びカメラモジュールアセンブリ８１０を所定の位置に付勢する。
【００８０】
図８Ｄは、いくつかの実施形態に係る、カメラモジュールアセンブリ８１０の底面斜視図を示す。第１、第２、及び第３のカメラモジュール８１０−Ａ、Ｂ、Ｃのそれぞれは、ポータブル電子デバイス８００のロジックボードに／ロジックボードから電気信号を伝えさせるフレックスケーブルを含む。第１のカメラモジュール８１０−Ａは、第１のフレックスケーブル８１８−Ａに電気的に結合され、第２のカメラモジュール８１０−Ｂは、第２のフレックスケーブル８１８−Ｂに電気的に結合され、第３のカメラモジュール８１０−Ｃは、第３のフレックスケーブル（図示せず）に電気的に結合される。
【００８１】
図９Ａ及び図９Ｂは、いくつかの実施形態に係る、ポータブル電子デバイスの動作構成要素の様々な斜視図を示す。図９Ａは、ポータブル電子デバイス２００のカメラモジュールアセンブリ（例えば、カメラモジュールアセンブリ２６０）を担持するためのシャーシ９００の斜視図を示す。シャーシ９００は、第１及び第２のカメラモジュール９１０−Ａ、Ｂに対して位置合わせされた開口部９０８−Ａ、Ｂを有するフロア９２６を含む。特に、第１及び第２のカメラモジュール９１０−Ａ、Ｂのタレットは、開口部９０８−Ａ、Ｂを通って嵌合することができる。シャーシ９００はまた、シャーシ９００に追加の補強を提供するシャーシインサート９２８を含む。シャーシ９００は、壁９４４を含む。
【００８２】
図９Ｂは、いくつかの実施形態に係る、カメラモジュールアセンブリ９１０の斜視図を示す。カメラモジュールアセンブリ９１０は、シャーシ９００内に受容され得る。カメラモジュールアセンブリ９１０は、第１及び第２のカメラモジュール９１０−Ａ、Ｂを含む。第１のカメラモジュール９１０−Ａは、ロジックボードから信号を送受信するための集積回路９１６−Ａ及びフレックス回路９１８−Ａを含む。第２のカメラモジュール９１０−Ｂは、ロジックボードから信号を送受信するための集積回路９１６−Ｂ及びフレックス回路９１８−Ｂを含む。
【００８３】
図１０は、いくつかの実施形態に係る、ポータブル電子デバイスの動作構成要素の上面図を示す。特に、図１０は、図４を参照して説明されるように、支持プレート４５０に対応し得る支持プレート１０００を示す。支持プレート１０００は、無線アンテナ及びカメラモジュール用のいくつかの開口部を含む。特に、支持プレート１０００は、第１のカメラモジュール（例えば、第１のカメラモジュール５１０−Ａ）が内部を貫通することを可能にし得る開口部１００８−Ａを含む。支持プレート１０００は、第２のカメラモジュール（例えば、第２のカメラモジュール５１０−Ｂ）が内部を貫通することを可能にし得る開口部１００８−Ｂを含む。支持プレート１０００は、第３のカメラモジュール（例えば、第３のカメラモジュール５１０−Ｃ）が内部を貫通することを可能にし得る開口部１００８−Ｃを含む。支持プレート１０００は、ストロボモジュール（例えば、ストロボモジュール５７０）が内部を貫通することを可能にするストロボモジュール開口部１０１６を含む。支持プレート１０００は、マイクロフォンモジュール（例えば、マイクロフォンモジュール５６０）が内部を貫通することを可能にするマイクロフォン開口部１０１８を含む。支持プレート１０００は、無線アンテナモジュールが内部を貫通することを可能にする開口部１０２０−Ａ、Ｂ、Ｃを更に含む。いくつかの実施例では、無線アンテナモジュールは、超広帯域アンテナである。有利には、ポータブル電子デバイス１００又は２００は、超広帯域アンテナを利用して、機能を実行するために、超広帯域アンテナを有する他のデバイスと通信することができる。超広帯域アンテナは、近距離の高帯域幅通信に対して、低量エネルギーを利用することができる。
【００８４】
特に、支持プレート１０００は、金属材料（例えば、ステンレス鋼）から形成されてもよい。従って、開口部は、電磁干渉を防止するために支持プレート１０００から切り出される。
【００８５】
図１１は、いくつかの実施形態に係る、ポータブル電子デバイスを形成するための方法１１００を示す。方法１１００は、ステップ１１０２において、後壁（例えば、後壁５３０）を隆起部（プラトー部）で形成することによって開始する。いくつかの実施形態では、後壁５３０は、第１のセクション５３２−Ａと、第１のセクション５３２−Ａに対して隆起した第２のセクション５３２−Ｂとを含む。いくつかの実施例では、隆起部は、後壁５３０のガラスの一部を機械加工することを伴う機械加工プロセスによって形成される。いくつかの実施例では、開口部は、隆起部内に形成され、開口部は、カメラモジュール（例えば、第１のカメラモジュール５１０−Ａ）のタレットを受容することができる。
【００８６】
ステップ１１０４において、後壁５３０は、金属バンド（例えば、側壁５０２の金属バンド５０４）に結合される。その結果、後壁５３０及び側壁５０２は、内部に配置された動作構成要素を有することができる空洞５０６を画定する。
【００８７】
ステップ１１０６において、少なくとも１つのトリム構造体（例えば、第１のトリム構造体５２２又は第２のトリム構造体５２４）は、後壁５３０に固定される。いくつかの実施例では、少なくとも１つのトリム構造体は、後壁５３０の表面に対して圧入される。少なくとも１つのトリム構造体は、後壁５３０の隆起部の一部を覆う。
【００８８】
ステップ１１０８において、カメラモジュール（例えば、第１のカメラモジュール５１０−Ａ）は、ブレース構造体５３４に固定される。ステップ１１１０において、カメラモジュールを担持するブレース構造体５３４は、少なくとも１つのトリム構造体及び後壁５３０に結合される。カメラモジュールは、後壁５３０の開口部と位置合わせされる。
【００８９】
ステップ１１１２において、溶接ワッシャ（例えば、溶接ワッシャ７４２）は、少なくとも１つのトリム構造体及びブレース構造体５３４に溶接される。
【００９０】
図１２は、いくつかの実施形態に係る、本明細書に説明される様々な技術を実施することができるポータブル電子デバイスのシステム図を示す。特に、詳細図は、ポータブル電子デバイス１００、２００に含めることができる様々な構成要素を示す。
【００９１】
図１２に示すように、ポータブル電子デバイス１２００は、ポータブル電子デバイス１２００の全体動作を制御するためのプロセッサ１２１０を含む。ポータブル電子デバイス１２００は、ディスプレイ１２３０を備えることができる。ディスプレイ１２３０は、センサ（例えば、静電容量センサ）を含むことができるタッチスクリーンパネルとすることができる。ディスプレイ１２３０は、ユーザに情報を表示するために、プロセッサ１２１０によって制御することができる。データバスは、少なくとも１つのメモリ１２２０とプロセッサ１２１０との間のデータ転送を容易にすることができる。ポータブル電子デバイス１２００はまた、無線アンテナ１２９０をプロセッサ１２１０に結合するネットワーク／バスインタフェースを含むことができる。ポータブル電子デバイス１２００はまた、単一のディスク又は複数のディスク（例えば、ハードドライブ）を備え得るメモリ１２２０を含み、メモリ１２２０内の１つ以上のパーティションを管理するストレージ管理モジュールを含む。いくつかの実施形態では、メモリ１２２０は、フラッシュメモリ、半導体（ソリッドステート）メモリなどを含むことができる。ポータブル電子デバイス１２００はまた、ランダムアクセスメモリ（ＲＡＭ）及び読み取り専用メモリ（ＲＯＭ）を含むことができる。ＲＯＭは、実行されるべきプログラム、ユーティリティ、又はプロセスを、不揮発方式で記憶することができる。ＲＡＭは、揮発性データ記憶デバイスを提供することができ、ポータブル電子デバイス１２００の動作に関連する命令を記憶する。
【００９２】
ポータブル電子デバイス１２００は、スイッチ又はタッチスクリーンパネルなどのユーザ入力デバイス１２５０を含んでもよい。ポータブル電子デバイス１２００は、リチウムイオン電池などの電源ユニット１２４０を含む。
【００９３】
ポータブル電子デバイス１２００は、ＩＲ発光器及び検出モジュール１２６０、カメラ１２７０、並びにストロボモジュール１２８０を含んでもよい。
【００９４】
説明した実施形態の様々な態様、実施形態、実装形態、又は特徴は、個別に又は任意の組み合わせで用いることができる。説明した実施形態の様々な態様をソフトウェア、ハードウェア、又はハードウェアとソフトウェアとの組み合わせにより実施することができる。説明された実施形態はまた、製造作業を制御するためのコンピュータ可読媒体上のコンピュータ可読コードとして、又は製造ラインを制御するためのコンピュータ可読媒体上のコンピュータ可読コードとして、具現化することもできる。このコンピュータ可読媒体は、後でコンピュータシステムによって読み込むことが可能なデータを格納することができる任意のデータ記憶デバイスである。コンピュータ可読媒体の例としては、読み取り専用メモリ、ランダムアクセスメモリ、ＣＤ−ＲＯＭ、ＨＤＤ、ＤＶＤ、磁気テープ、及び光学的データ記憶デバイスが挙げられる。コンピュータ可読コードが分散形式で格納及び実行されるように、コンピュータ可読媒体をネットワークに結合されたコンピュータシステムにわたって分散させることもできる。
【００９５】
本明細書に記載されるいずれの範囲も両端を含む。本明細書で使用される「実質的に」、「概して」、及び「約」という用語は、小さな変動を記載及び説明するために使用される。例えば、それらの用語で±５％以下を指した場合は、±２％以下、±１％以下、±０．５％以下、±０．１％以下などを指すことができる。
【００９６】
前述の記載では、説明のために、記載された実施形態の完全な理解をもたらすために特定の専門用語を用いた。しかし、記述される実施形態を実施するために、具体的な詳細は必要とされないことは、当業者には明らかであろう。従って、本明細書に述べられる特定の実施形態の前述の説明は、実例及び説明の目的で提示されている。これらの説明は、網羅的であること、又は開示されるまさにその形態に実施形態を限定することをターゲットとしたものではない。上記の教示を考慮すれば、多くの変更及び変形が可能であることが、当業者には明らかであろう。
【図１Ａ】
2020166842.tif 000003
【図１Ｂ】
2020166842.tif 000004
【図２】
2020166842.tif 000005
【図３Ａ】
2020166842.tif 000006
【図３Ｂ】
2020166842.tif 000007
【図３Ｃ】
2020166842.tif 000008
【図３Ｄ】
2020166842.tif 000009
【図３Ｅ】
2020166842.tif 000010
【図３Ｆ】
2020166842.tif 000011
【図３Ｇ】
2020166842.tif 000012
【図３Ｈ】
2020166842.tif 000013
【図４】
2020166842.tif 000014
【図５Ａ】
2020166842.tif 000015
【図５Ｂ】
2020166842.tif 000016
【図６Ａ】
2020166842.tif 000017
【図６Ｂ】
2020166842.tif 000018
【図７Ａ】
2020166842.tif 000019
【図７Ｂ】
2020166842.tif 000020
【図８Ａ】
2020166842.tif 000021
【図８Ｂ】
2020166842.tif 000022
【図８Ｃ】
2020166842.tif 000023
【図８Ｄ】
2020166842.tif 000024
【図９Ａ】
2020166842.tif 000025
【図９Ｂ】
2020166842.tif 000026
【図１０】
2020166842.tif 000027
【図１１】
2020166842.tif 000028
【図１２】
2020166842.tif 000029
【外国語明細書】
2020166842000001.pdf